(57)【特許請求の範囲】
【請求項１】
魚群探知機で生成された水中に関する釣り情報を表示可能な釣り情報表示装置であって、
前記魚群探知機で生成された水中に関する釣り情報を受信する釣り情報受信手段と、
前記釣り情報受信手段によって受信した前記水中に関する釣り情報を表示する表示部と、
前記表示部の表示を変更する表示変更操作部と、
前記表示変更操作部の所定の操作に応じて、前記水中に関する釣り情報を水面を基準として前記表示部に拡大・縮小表示する表示変更手段と、
を備えた釣り情報表示装置。
【請求項２】
前記表示変更操作部は、前記水中に関する釣り情報を前記表示部に拡大表示する表示拡大操作部と、前記水中に関する釣り情報を前記表示部に縮小表示する表示縮小操作部とを有している、請求項１に記載の釣り情報表示装置。
【請求項３】
前記表示拡大操作部及び前記表示縮小操作部は、上下に並べて配置されている、請求項２に記載の釣り情報表示装置。
【請求項４】
前記表示変更手段は、前記表示変更操作部の所定の操作を行う回数に応じて、前記水中に関する釣り情報の拡大率・縮小率が増減するように、前記表示部に拡大・縮小表示する、請求項１から３のいずれか１項に記載の釣り情報表示装置。
【請求項５】
前記表示変更操作部の所定の操作によって、前記表示部に拡大・縮小表示された前記水中に関する釣り情報を、前記表示部に通常表示させる表示リセット変更手段をさらに備えている、請求項１から４のいずれか１項に記載の釣り情報表示装置。
【請求項６】
前記表示変更操作部は、前記水中に関する釣り情報を前記表示部に通常表示する表示リセット操作部を有している、請求項５に記載の釣り情報表示装置。
【請求項７】
前記釣り情報受信手段は、釣竿に装着可能な釣り用リールで生成されたリールに関する釣り情報をさらに受信し、
前記表示部は、前記釣り情報受信手段によって受信した前記リールに関する釣り情報をさらに表示する、請求項１から６のいずれか１項に記載の釣り情報表示装置。
【発明の詳細な説明】
【技術分野】
【０００１】
本発明は、釣り情報表示装置、特に、魚群探知機で生成された水中に関する釣り情報を表示可能な釣り情報表示装置に関する。
【背景技術】
【０００２】
一般に、漁場の底の水深や魚の棚位置等の水中に関する釣り情報を超音波により送受信して表示可能な魚群探知機からの情報を表示可能な釣り情報表装置を有する釣り用リールが知られている（特許文献１参照）。このような釣り情報表示装置は、釣人が使用する釣り用リールに近接して配置されているので、魚群探知機から得られた漁場の底の水深や魚の棚位置等の水中に関する釣り情報を釣人が直接確認することができる。
【０００３】
この種の釣り情報表示装置は、液晶ディスプレイからなる表示部を有する小型のモニタであって、この表示部に水中に関する釣り情報が表示される。このような表示部には、水中に関する釣り情報として、魚群探知機の反射波の反応の相違によって異なる色調や階調で表された水底や魚群の画像が表示されるようになっている。従来の表示部では、水面が画面の上部に配置され、水底が画面の下部に配置され、水面から水底まで全体が１つの画面に表示されるようになっている。しかし、特に、小型のモニタでは表示部の表示領域が狭いので、底の水深が深くなると、画面の中程の魚群の画像の表示が小さくなるといった問題があった。そこで、本出願人は、標準表示モードと拡大表示モードとを切り換えて表示する釣り情報表示装置を発明し出願した（特許文献２参照）。ここでは、拡大表示モードに切り換えることにより、画面の中程に表示された魚群の画像を拡大表示させることが可能である。
【特許文献１】特開２００４−１２１００７号公報
【特許文献２】特開２００５−２０１７９９号公報
【発明の開示】
【発明が解決しようとする課題】
【０００４】
前記従来の標準表示モードと拡大表示モードとを切り換えできる釣り情報表示装置は、拡大表示モードに切り換えることにより、画面の中程に表示された魚群の画像を拡大表示させることができる。しかし、底の水深が浅いときには、画面の中程に水底が表示されることになるため、拡大表示モードに切り換えると、画面の中程に表示された水底が拡大表示されることがある。このように水底が画面の中程に表示された状態で拡大表示されると、釣人が最も知りたい魚群の画像が画面上方の枠外に外れたり、拡大表示モードの拡大率や魚群の画像の大きさによっては、釣人が所望する表示が行えないおそれが生じる。
【０００５】
本発明の課題は、釣り情報表示装置において、釣人が所望する画像を簡単かつ確実に表示できるようにすることにある。
【課題を解決するための手段】
【０００６】
発明１に係る釣り情報表示装置は、魚群探知機で生成された水中に関する釣り情報を表示可能な釣り情報表示装置であって、魚群探知機で生成された水中に関する釣り情報を受信する釣り情報受信手段と、釣り情報受信手段によって受信した水中に関する釣り情報を表示する表示部と、表示部の表示を変更する表示変更操作部と、表示変更操作部の所定の操作に応じて水中に関する釣り情報を水面を基準として表示部に拡大・縮小表示する表示変更手段とを備えている。
【０００７】
この釣り情報表示装置では、表示変更操作部の所定の操作に応じて水中に関する釣り情報を水面を基準として表示部に拡大・縮小表示する表示変更手段を有している。ここでは、釣人による表示変更操作部の所定の操作によって、表示部を所定の拡大率となるように拡大・縮小表示させることができるので、釣人が所望する拡大率となる表示を簡単に行える。さらに、ここでは、水中に関する釣り情報を画面上部の水面を基準として表示部に拡大・縮小表示するようになっているので、たとえば、底の水深が浅く画面の中程に水底が表示されているときには、画面上部の水面を基準として底の水深を表示部に拡大表示させることによって、底の水深を画面の下部に配置させることができ、このため、釣人が所望する魚群の画像を画面の中程に確実に表示させることができる。したがって、表示変更操作部の所定の操作に応じて水中に関する釣り情報を水面を基準として表示部に拡大・縮小表示する表示変更手段によって、釣人が所望する画像を簡単かつ確実に表示できる。
【０００８】
発明２に係る釣り情報表示装置は、発明１の釣り情報表示装置において、表示変更操作部は、水中に関する釣り情報を表示部に拡大表示する表示拡大操作部と、水中に関する釣り情報を表示部に縮小表示する表示縮小操作部とを有している。この場合、表示拡大操作部と表示縮小操作部とが別々に設けられているので、拡大表示と縮小表示との誤操作を防止できる。
【０００９】
発明３に係る釣り情報表示装置は、発明２の釣り情報表示装置において、表示拡大操作部及び表示縮小操作部は、上下に並べて配置されている。この場合、上側に拡大表示用の表示拡大操作部を設け、下側に縮小表示用の表示縮小操作部を設けることによって、上側の表示拡大操作部を操作すると拡大表示されて最深の水深が浅くなり、逆に、下側の表示縮小操作部を操作すると縮小表示されて最深の水深が深くなるので、直感的な操作が可能になる。
【００１０】
発明４に係る釣り情報表示装置は、発明１から３のいずれかの釣り情報表示装置において、表示変更手段は、表示変更操作部の所定の操作を行う回数に応じて、水中に関する釣り情報の拡大率・縮小率が増減するように、表示部に拡大・縮小表示する。この場合、たとえば表示変更操作部を押圧する回数が多くなると拡大率・縮小率が増減するようになっているので、釣人が所望する拡大率となるまで表示変更操作部を押圧操作を繰り返すだけでよくなる。
【００１１】
発明５に係る釣り情報表示装置は、発明１から４のいずれかの釣り情報表示装置において、表示変更操作部の所定の操作によって、表示部に拡大・縮小表示された水中に関する釣り情報を、表示部に通常表示させる表示リセット変更手段をさらに備えている。この場合、表示部に拡大・縮小表示された水中に関する釣り情報を、表示部に通常表示させる表示リセット変更手段によって、元の拡大・縮小表示されていない水中に関する釣り情報を表示させることができる。
【００１２】
発明６に係る釣り情報表示装置は、発明５の釣り情報表示装置において、表示変更操作部は、水中に関する釣り情報を表示部に通常表示する表示リセット操作部を有している。この場合、たとえば、上下左右の４方向に操作可能な操作部において、表示縮小操作部を上方向、表示拡大操作部を下方向、表示リセット操作部を左右方向（横方向）に割り当てることによって、拡大表示操作または縮小表示操作を行っているときに表示リセット操作部を左右方向（横方向）に操作することで、簡単な操作で通常表示にすることができる。
【００１３】
発明７に係る釣り情報表示装置は、発明１から６のいずれかの釣り情報表示装置において、釣り情報受信手段は、釣竿に装着可能な釣り用リールで生成されたリールに関する釣り情報をさらに受信する。表示部は、釣り情報受信手段によって受信したリールに関する釣り情報をさらに表示する。この場合、魚群探知機で生成された水中に関する釣り情報だけでなく、たとえば棚位置や現在の仕掛けの水深等のリールで生成されたリールに関する釣り情報も表示させることができるので、釣り情報表示装置側だけでリール側の表示部を見ることなく棚位置や現在の仕掛けの水深等を知ることができる。さらに、ここでは、棚位置や現在の仕掛けの水深等は、底の水深より上側に位置しているので、釣人が所望する棚位置や現在の仕掛けの水深等を画面の中程に確実に表示させることができる。
【発明の効果】
【００１４】
本発明によれば、釣り情報表示装置において、表示変更操作部の所定の操作に応じて水中に関する釣り情報を水面を基準として表示部に拡大・縮小表示する表示変更手段を有しているので、釣人が所望する画像を簡単かつ確実に表示できる。
【発明を実施するための最良の形態】
【００１５】
本発明の一実施形態が採用された釣り情報表示システムは、図１及び図２に示すように、電動リール１００と、電動リール１００と送受信可能に配置された釣り情報表示装置６０と、魚群探知機１２０（図１参照）とを備えている。
【００１６】
電動リール１００は、図２に示すように、たとえば、竿受けＲＫにより釣り船の船縁ＦＢに装着された釣竿Ｒに固定されている。電動リール１００は、図２に示すように、外見上は、主としてハンドル１が装着されたリール本体２と、リール本体２に回転自在に装着されたスプール３と、スプール３内に装着されたモータ４とを備えている。
【００１７】
リール本体２は、図２に示すように、フレーム１３と、フレーム１３の両側方を覆う側カバー１４、１５とを有している。フレーム１３は、図２に示すように、アルミニウム合金ダイカストの一体成形された部材であり、左右１対の側板１６、１７と、側板１６、１７を複数箇所で連結する連結部材１８とを有している。下部の連結部材１８には、釣り竿を装着するための竿装着脚１９が装着されている。
【００１８】
側カバー１４には、図２に示すように、外部に設けられた蓄電池等の電源と接続するための電源ケーブル用のコネクタ部１４ａが前部に斜めに突出して設けられている。このコネクタ部１４ａに接続される電源ケーブル２０には、後述する無線通信用のアンテナが設けられている。なお、電動リール１００は、直流１２Ｖ（ボルト）、１６．８Ｖ、２４Ｖの３種類の電圧の電源に対応可能である。
【００１９】
リール本体２のハンドル１側の前側側面には、図２に示すように、スプール３の巻き上げ速度を３１段階に調節可能であるとともに、スプール３に巻き付けられた釣り糸の張力を３１段階に調節可能な調整レバー２６が揺動可能に設けられている。調整レバー２６の揺動軸には調整レバー２６の揺動角度を検出するためのポテンショメータ３６（図１参照）が取り付けられている。また、リール本体２０の後側部には、クラッチをオン、オフ操作するためのクラッチ操作レバー２７がそれぞれ揺動自在に装着されている。リール本体２の上部には、水深表示等を行うためのカウンタ２４が装着されている。
【００２０】
カウンタ２４は、図２に示すように、釣り糸の先端に装着された仕掛けの水深を表示するとともに、モータ４を制御するために設けられている。カウンタ２４には、図２に示すように、仕掛けの水深データＬＸや棚位置を水面からと底からとの２つの基準で表示するための液晶ディスプレイからなる表示部２３と、表示部２３の手前側に配置された、たとえば３つのスイッチボタンからなる操作キー部３５とが設けられている。
【００２１】
表示部２３は、バックライトを有するセグメント式の液晶ディスプレイを用いている。バックライトは、いずれも図示しないが、赤と緑の二色を発光可能な発光ダイオードと、発光ダイオードが一側に配置された導光板とを有している。このような導光板を設けることにより液晶ディスプレイ全面を光らせることができる。
【００２２】
操作キー部３５は、図２に示すように、表示部２３の下側に左右に並べて配置されたメニューボタンＭＢと、決定ボタンＤＢと、棚メモ用の棚メモボタンＴＢとを有している。メニューボタンＭＢは、表示部２３内の表示項目を選択するために使用されるボタンである。たとえば、メニューボタンＭＢ操作する毎に上からモード（仕掛けの水深を水面からの深さで表示するモード）と底からモード（仕掛けの水深を水底からの水深で表示するモード）とに切り換える。またメニューボタンＭＢを３秒以上長押しすると、長押しの都度、モータの制御モードを速度モードと張力モードとに切り換えできる。ここで、速度モードは、調整レバー２６の揺動角度に応じてスプール３の回転速度の上限速度を３１段階に多段速度制御可能なモードである。張力モードは、釣り糸に作用する張力の上限張力を３１段階に多段張力制御可能なモードである。なお、両モードとも、最高段階の３１段階は、１００％デューティでモータ４を動作させる速巻速度であり、電流制限は行うが、速度制御は行わない。なお、これらの速度モードと張力モードとの切り換えは、後述する釣り情報表示装置６０の操作キー部６２の所定の操作により行うことができる。決定ボタンＤＢは、選択結果を確定して設定するボタンである。また、決定ボタンＤＢをたとえば３秒以上長押しすると、そのときの水深データＬＸが水深０の基準位置としてセットされる０セット処理を行える。棚メモボタンＴＢは、操作したときの仕掛けの水深を棚位置として設定するためのボタンである。以降はセットされた基準位置からの糸長で水深データＬＸが表示される。なお、釣人は通常、仕掛けが海面に着水したときに決定ボタンを長押しして０セットする。
【００２３】
カウンタ２４の内部には、図１に示すように、表示部２３の水深表示制御や、モニタ４の駆動制御等を行うＣＰＵ、ＲＡＭ、ＲＯＭ、Ｉ／Ｏインターフェイス等を含むマイクロコンピュータや液晶駆動回路からなるリール制御部３０が設けられている。リール制御部３０には、操作キー部３５の３つのボタン（メニューボタンＭＢ、決定ボタンＤＢ、棚メモボタンＴＢ）、スプール３の回転位置及び方向を検出するための、たとえば回転方向に並べて配置された２つのホール素子で検出するスプールセンサ４１、スプールセンサ４１からの所定パルス毎に値が変化するスプールカウンタ４２と、調整レバー２６に連結されたポテンショメータ３６が接続されている。また、リール制御部３０には、各種の警報を出力するためのブザー４３、各種の表示を行うための表示部２３、各種のデータを記憶する記憶部４５、モータ４をＰＷＭ駆動するＦＥＴを含むＰＷＭ駆動回路４４、及び他の入出力部が接続されている。さらに、リール制御部３０には、釣り情報表示装置６０と情報をやり取りする無線通信部４６が接続されている。無線通信部４６は、リールの外部に設けられた釣り情報表示装置６０と仕掛けの水深データ等を無線（たとえば、ＩＥＥＥ８０２．１５．４（ＺｉｇＢｅｅ（登録商標）等の規格）でやり取りするためのものであり、釣り情報表示装置６０に設けられた無線通信部６４に接続されている。無線通信部４６は、たとえば通信用の配線がなされたリール用の電源ケーブルに、アンテナを含む無線モジュールとして別途取り付けられるものである。このような無線モジュールを用いることで、無線機能を有していない従来の電動リールに無線機能を簡単に付加することができる。
【００２４】
リール制御部３０は、スプールカウンタ４２から計数値が出力されると、それをもとに記憶部４５に格納された複数のマップデータのなかから選択された釣り糸のマップデータに基づいて表示用の仕掛けの水深データを算出し、算出された水深データを表示部２３に表示させる。また、釣り情報表示装置６０が接続されている場合には、仕掛けの水深データを含む各種の情報を無線通信部４６を介して釣り情報表示装置６０の無線通信部６４に出力する。なお、電動リール１００の無線通信部４６や、釣り情報表示装置６０の無線通信部６４は、外部から図示しない他の無線端末と接続可能であって、この無線端末によって、電動リール１００や釣り情報表示装置６０内部のソフトウェアを書き換え可能である。
【００２５】
釣り情報表示装置６０は、図１及び図２に示すように、魚群探知機１２０（図１参照）から得られる漁場の底の水深や魚群の位置を示す棚位置をエコー表示可能であるとともに、電動リール１００から得られる仕掛けの水深データをエコー表示された底の水深や棚位置とともに水深に応じた位置に図形により表示することができる。また、釣り情報表示装置６０は、棚停止のオンオフや棚位置の設定や、さそいモードのオン、オフやさそい幅の設定や、オートさそいのオン、オフや、モータの糸繰り出し方向の回転により釣り糸を繰り出す糸送りのオン、オフや、アタリ検知のオン、オフ等の電動リール１００に関する設定操作を行うことができる。なお、釣り情報表示装置６０は、電動リール１００と接続しないで単独使用することもできる。この場合は、魚群探知機１２０からの棚位置や底位置を表示する魚群探知機１２０の遠隔モニタとして機能する。また、釣り情報表示装置６０は、１６色のカラー表示が可能であり、このため、魚群探知機１２０には、カラー情報を送信するための図示しない無線通信部であるカラーアンテナが別途装着されている。また、魚群探知機１２０の無線通信部と、釣り情報表示装置６０の無線通信部６４とは、１対１で無線通信が確立されており、このため他の魚群探知機や釣り情報表示装置と混信することがなくなる。また、魚群探知機１２０の無線通信部も、外部から図示しない他の無線端末と接続可能であって、この無線端末によって、魚群探知機１２０内部のソフトウェアを書き換え可能である。
【００２６】
釣り情報表示装置６０は、図３に示すように、ケース５０と、ケース５０に装着され液晶ディスプレイ５１ａ及びバックライト５１ｂを含む表示部５１と、ケース５０から露出して表示部５１の右側に上下に配置された５つのボタン５２〜５６を含む操作キー部６２と、操作キー部６２の上部に配置され周囲光の明るさを検出する光センサ６５とを有している。
【００２７】
ケース５０は、図３に示すように、四辺が円形に丸められたボックス状のケースである。ケース５０の両側面には、図示しないねじ孔を有する取付部が配置されており、この取付部に取付ブラケット１１０が図示しないねじ部材により装着され、取付ブラケット１１０に釣り情報表示装置６０が装着される。ケース５０の背面には、図３に示すように、６個の単３乾電池を上下に並べて取り付け可能な凹部からなる電池収納部６６と、電池収納部６６の背面から見て右側（図３では左側）に電動リール１００に使用する蓄電池に連結されたコードのコネクタ部に接続可能なねじ込み式のコンセント部６７とが配置されている。この釣り情報表示装置６０では、内部電池である単３乾電池と外部電源である蓄電池との両電源が使用可能であって、電池収納部６６とコンセント部６７とは排他利用となっている。外部電源である蓄電池は、図示しないＹ型（２又）のコードによって、電動リール１００のコネクタ部１４ａと、釣り情報表示装置６０のコンセント部６７と同時に接続可能である。
【００２８】
表示部５１は、図３に示すように、たとえば、縦３２０ドット、横２４０ドットのカラー１６色のドットマトリックス方式の液晶ディスプレイ５１ａを使用している。液晶ディスプレイ５１ａの背面には、導光板方式のバックライト５１ｂが配置されており、光センサ６５によって検出された周囲光の明るさに応じて輝度が変更されるようになっている。具体的には、光センサ６５によって検出された周囲光の明るさに対応する輝度の設定テーブルを読み出すことにより、最適な輝度となるように、バックライト５１ｂの照射量を変更するようになっている。たとえば、光センサ６５によって検出された周囲光の明るさが明るいほど、バックライト５１ｂの照射量が多くする輝度変更制御を行う。ここでは、周囲光の明るさが明るいときバックライト５１ｂの照射量を多くし、周囲光の明るさが暗いときバックライト５１ｂの照射量を少なくすることによって、液晶ディスプレイ５１ａの視認性を向上できる。なお、釣り情報表示装置６０が内部電池によって駆動されているときのバックライト５１ｂの照射量は、釣り情報表示装置６０が外部電源によって駆動されているときのバックライト５１ｂの照射量の７０％になっており、内部電池である乾電池駆動の場合の消費が電力が抑えられている。
【００２９】
ケース５０の内部には、図１に示すように、表示制御やさそい制御を行うＣＰＵ、ＲＡＭ、ＲＯＭ、Ｉ／Ｏインターフェイス等を含むマイクロコンピュータや液晶駆動回路やバックライト制御回路からなる情報表示制御部６１が設けられている。情報表示制御部６１には、魚群探知機１２０及び電動リール１００と情報をやり取りするための無線通信部６４、操作キー部６２の５つのボタン５２〜５６、各種の表示を行うための表示部５１、各種のデータを記憶する記憶部６３、光センサ６５、他の入出力部が接続されている。
【００３０】
情報表示制御部６１は、電動リール１００から仕掛けの水深データが得られると、それを図形で表示部５１に表示するとともに、魚群探知機１２０から漁場の底位置のエコーデータ、底位置の数値データ及び棚位置のエコーデータを取得すると、それを表示部５１に仕掛けの水深データとともに表示する。
【００３１】
操作キー部６２は、図３に示すように、画面切換ボタン５２と、カーソルボタン５３と、決定ボタン５４と、さそいオンオフボタン５５と、オンオフボタン５６とを有しており、表示部５１の右側に上下に並べて配置されている。画面切換ボタン５２は、表示部５１の表示をメニュー表示と魚探表示とに切り換えるボタンである。カーソルボタン５３は、釣り情報表示装置６０や電動リール１００の各種の設定を行うメニュー処理において上下左右にカーソルを移動させるためのボタンであって、上下左右方向にそれぞれ、上ボタン５３ａ、下ボタン５３ｂ、左ボタン５３ｃ、右ボタン５３ｄが割り当てられている。決定ボタン５４は、各種の設定の際に設定された項目を決定するためのボタンである。さそいオンオフボタン５５は、さそい動作を開始する際に使用されるボタンである。オンオフボタン５６は、表示をオン、オフするためのボタンである。
【００３２】
光センサ６５は、図３に示すように、操作キー部６２の上部に配置された矩形の窓部から外部を臨むように取り付けられたセンサであって、情報表示制御部６１が光電効果によって発生した電流を光量に換算する演算を行うことにより周囲光の明るさを検出するようになっている。ここでは、情報表示制御部６１は、光センサ６５によって検出された周囲光の明るさに対応する輝度の設定テーブルを記憶部６３から読み出すことにより、バックライト５１ｂの輝度を自動的に変更するようになっている。
【００３３】
次に、情報表示制御部６１の具体的な制御内容について、図１２〜図１７、図１９に示す制御フローチャート及び図４以降に示す表示画面に基づいて説明する。なお、以降の説明では釣り情報表示装置６０に電動リール１００が接続されている場合を説明する。
【００３４】
釣り情報表示装置６０に乾電池または蓄電池が接続されオンオフボタン５６が押されると、図１２のステップＳ１で初期設定がなされる。この初期設定処理では、図１９に示すように、まず、Ｓ１０１において、無線接続する魚群探知機１２０を選択設定する。ここでは、図８に示すように、魚群探知機１２０の無線通信部から送信された魚群探知機１２０が搭載された船名を、釣り情報表示装置６０の無線通信部６４が自動受信するようになっており、複数の魚群探知機がある場合には、複数の船名が表示されるようになっている。具体的には、図８に示すように、表示部５１には、画面左上に配置された船名・リール設定項目７４（「船名」が選択状態）と、船名・リール設定項目７４の右側に配置された船名に対応する番号表示７５（番号「１」が選択状態）と、船名設定項目７４及び船名に対応する番号表示７５の下側に配置された具体的に接続（選択）可能な船名の名称表示７６（「ＯＯＯＯ丸」）とが表示されている。複数の魚群探知機がある場合には、船名に対応する番号表示７５の番号が「２」、「３」のように出現し、船名の名称表示７６（「ＸＸＸＸ丸」、「ＯＯＸＸ丸」）が表示されるので、操作キー部６２の操作によって無線接続したい魚群探知機１２０を選択設定する。なお、ここで選択設定された魚群探知機１２０の船名の名称表示７６（「ＯＯＯＯ丸」）等の情報は、釣り情報表示装置６０の記憶部６３に自動的に記憶され、次回の魚探設定のときには前回接続した魚群探知機１２０の船名の名称表示７６（「ＯＯＯＯ丸」）が優先的（番号「１」）に表示されるようになっている。Ｓ１０１で魚群探知機１２０が設定されると、Ｓ１０２に移行し、電動リール１００が釣り情報表示装置６０に有線接続されているか、無線接続されているか否かを判断する。Ｓ１０２で、電動リール１００が釣り情報表示装置６０に有線接続されていると判断された場合には、Ｓ１０３に移行し、その他の設定処理が行われる。Ｓ１０２で、電動リール１００が釣り情報表示装置６０に有線接続されていない、すなわち、電動リール１００が釣り情報表示装置６０に無線接続されていると判断された場合には、Ｓ１０４に移行し、リール設定処理が行われる。Ｓ１０４では、複数存在する電動リールの中から無線接続する電動リール１００を選択設定する。ここでは、図７に示すように、電動リール１００の無線通信部４６から送信された電動リール１００の固有のＩＤである機種名を、釣り情報表示装置６０の無線通信部６４が自動受信するようになっており、複数の電動リールがある場合には、複数の電動リールの機種名（ＩＤ）が表示されるようになっている。具体的には、図７に示すように、表示部５１には、画面左上に配置された船名・リール設定項目７４（「リール」が選択状態）と、船名・リール設定項目７４の右側に配置されたリールに対応する番号表示７５（番号「１」が選択状態）と、船名・リール設定項目７４及びリールに対応する番号表示７５の下側に配置された具体的に接続（選択）可能なリールの名称（ＩＤ）表示７６（「ＦＥ１００００」）とが表示されている。複数の電動リールがある場合には、リールに対応する番号表示７５の番号が「２」、「３」のように出現し、リールの名称（ＩＤ）表示７６（「ＦＥ１０００１」、「ＦＥ１０００２」）が表示されるので、操作キー部６２の操作によって無線接続したい電動リール１００を選択設定する。なお、ここで選択設定された電動リール１００の機種名（ＩＤ）の名称表示７６（「ＦＥ１００００」）等の情報は、釣り情報表示装置６０の記憶部６３に自動的に記憶され、次回のリール設定のときには前回接続した電動リール１００の機種名（ＩＤ）の名称表示７６（「ＦＥ１００００」）が優先的（番号「１」）に表示されるようになっている。ここでは、Ｓ１０４で電動リール１００が設定されると、Ｓ１０３に移行し、その他の設定処理が行われる。Ｓ１０３のその他の設定処理では、続く表示処理（図１２参照）で表示モードがオープニング画面を表示するように設定される。また、仕掛けの水深データＤ１の補正計数Ｋが１にセットされる。
【００３５】
ステップＳ２では、魚群探知機１２０からの魚探データ（具体的には、釣り場の海底の水深及び棚位置のエコーデータＤ２、Ｄ３）が受信しているか否かを判断する。魚探データを受信できない場合は受信できるまで待機する。魚探データを受信している場合は、ステップＳ３に移行して、受信した魚探データＤ１〜Ｄ３を取り込み、記憶部６１に格納する。ステップＳ４では、電動リール１００が接続されているか否かを判断する。電動リール１００が接続されていない場合は、ステップＳ５に移行し、電動リール１００が接続されていないことを示すフラグＮＣをオンする。電動リール１００が接続されている場合は、ステップＳ４からステップＳ６に移行してフラグＮＣをオフする。ステップＳ７では、電動リール１００から送信される仕掛けの水深データＤ１を取り込む。
【００３６】
ステップＳ８では、表示処理を行う。この表示処理では、オープニング画面に加えて電動リール１００から得られた水深データや魚群探知機１２０からの魚探データを表示する魚探画面と、各種の設定を行うメニュー画面とに切り換わる。ステップＳ９では、操作キー部６２が操作されたか否かを判断する。ステップＳ１０では、電動リール１００に送信する送信要求があったか否かを判断する。ステップＳ１０ステップＳ４では、たとえば、隠しコマンドによるメンテナンス処理などのその他の処理が選択されたか否かを判断し、その判断が「Ｎｏ」の場合、ステップＳ２に戻る。操作キー部６２が操作された場合は、ステップＳ９からステップＳ１２に移行し、後述するキー入力処理を行う。送信要求があった場合は、ステップＳ１０からステップＳ１３に移行し、後述するメニュー処理で設定された設定データを無線通信部６４を介して電動リール１００に送信する。他の処理が選択されるとステップＳ１１からステップＳ１４に移行し、指定された他の処理を実行し、ステップＳ２に戻る。
【００３７】
ステップＳ８の表示処理では、図１３のステップＳ２１において、まず、バックライト表示処理を行う。バックライト表示処理では、図１５のステップＳ７１において、蓄電池等の外部電源が接続されているか、乾電池等の内部電源のいずれが接続されているか判断する。Ｓ７１で蓄電池等の外部電源が接続されていると判断されると、Ｓ７６に移行し、光センサ６５により検出された光量が１５ルクス以上であるか否かが判断される。Ｓ７６で光センサ６５により検出された光量が１５ルクス以上であると判断されると、Ｓ７８に移行し、バックライト５１ｂの輝度が最大輝度である１００％になるように設定される。Ｓ７６で光センサ６５により検出された光量が１５ルクス未満であると判断されると、Ｓ７７に移行し、バックライト５１ｂの輝度が最大輝度の７０％になるように設定される。Ｓ７７、Ｓ７８の輝度設定が行われると、Ｓ７４に移行し、Ｓ７７、Ｓ７８で設定された輝度になるようにバックライト５１ｂが表示され、図１３に示す表示処理のサブルーチンに戻る。
【００３８】
図１５のステップＳ７１において、乾電池等の内部電源が接続されていると判断されると、Ｓ７２に移行し、光センサ６５により検出された光量が１５ルクス以上であるか否かが判断される。Ｓ７２で光センサ６５により検出された光量が１５ルクス以上であると判断されると、Ｓ７５に移行し、バックライト５１ｂの輝度が最大輝度の７０％になるように設定される。Ｓ７２で光センサ６５により検出された光量が１５ルクス未満であると判断されると、Ｓ７３に移行し、バックライト５１ｂの輝度が最大輝度の５０％になるように設定される。Ｓ７３、Ｓ７５の輝度設定が行われると、Ｓ７４に移行し、Ｓ７３、Ｓ７５で設定された輝度になるようにバックライト５１ｂが表示され、図１３に示す表示処理のサブルーチンに戻る。
【００３９】
図１３のステップＳ２１のバックライト表示処理が行われると、オープニング画面か設定されたか否かを図１３のステップＳ２２で判断する。次に、オープニング画面か設定されたか否かを図１３のステップＳ２２で判断する。このオープニング画面は電源コード１３が接続されて電源が投入されると一度だけ表示される。ステップＳ２３では、画面切換ボタン５２によりメニュー画面が設定されたか否かを判断する。ステップＳ２４では、画面切換ボタン５２により魚探画面が選択されたか否かを判断し、魚探画面が設定されていない場合は、図１２に示すメインルーチンに戻る。
【００４０】
オープニング画面が設定されている場合には、ステップＳ２２からステップＳ２５に移行してオープニング画面を表示する。メニュー画面が設定されている場合は、ステップＳ２３からステップＳ２６に移行する。ステップＳ２６では、図９、図１０に示すメニュー画面を表示部５１に表示する。このメニュー画面では、画面の左上に魚群探知機１２０から出力される電波の受信状態７１を表示する。なお、この電波の受信状態７１は、アンテナマークと３本線とで表示され、この表示は全ての表示モードで表示される。その右側には現在時刻を表す時計表示７２をデジタル数字で表示する。さらに画面の右上には、乾電池等の内部電源の残量表示７３を電池を模した図形で表示する。残量表示７３は、乾電池等の内部電源の残量が最大であるときには３個の矩形部が塗りつぶされて表示され、残量が減少するにつれて２個の矩形部、１個の矩形部、０個の矩形部のように塗りつぶされている部分が減少するようになっている。受信状態７１、時計表示７２の下には、釣り情報表示装置６０の各種のモードの設定項目７７（具体的には、図９及び図１０に示すように、さそい、さそい幅、底拡大、位置補正、ボトムライン、背景色及びシカケ軌跡）及びその設定内容７８（ＯＦＦ、ＯＮ）が階層的にメニュー表示され、さらに、電動リール１００の各種のモードの設定項目７７（具体的には、図１８に示すように、棚停止、オートさそい、糸送り、上底切替、仕掛回収、巻上回数、巻上時間、時計、デモ画面）及びその設定内容７８（ＯＦＦ、ＯＮ）が階層的にメニュー表示されている。電動リール１００の設定内容は、電動リール１００で設定された場合には、そのデータを受信してその内容がメニュー画面の設定内容に反映されるようになっている。これらの設定項目及び設定内容は、カーソルボタン５３により選択され、決定ボタン５４により設定内容が確定する。ここで、図１８に示す仕掛回収とは、仕掛けを回収する、すなわち船縁停止までどれくらいの時間がかかるか秒単位で表示する機能である。巻上回数とは、本日の巻き上げ回数、すなわち船縁停止まで巻き上げた回数を表示する機能である。巻上時間とは、モータ４が駆動している時間の合計時間を表示する機能である。時計とは、前述した現在時刻を表す時計表示７２に表示する時間を設定する機能である。ここで、図９及び図１０に示す位置補正は、電動リールから得られた仕掛けの水深データを補正したいときに設定される。また、シカケ軌跡は、仕掛けの水深データの時系列的な変化の軌跡を表示したいときに設定される。
【００４１】
魚探画面が設定されている場合には、ステップＳ２４からステップＳ２７に移行する。ステップＳ２７では、フラグＮＣにより電動リール１００が接続されているか否かを判断する。電動リール１００が接続されている場合には、ステップＳ２７からステップＳ２８に移行する。電動リール１００が接続されていない場合には、ステップＳ２７からステップＳ３６に移行し、Ｓ３７において、メニュー画面と同様に魚群探知機１２０からの電波の受信状態７１をアンテナマークと３本線とで画面の左上部に表示する。
【００４２】
図１３のステップＳ２８では、図１１示すような魚探画面を表示する。ステップＳ２８では、画面の右端に水深のスケールＳＣを表示するとともに、スケールＳＣの右横に、電動リール１００から得られた仕掛けの水深データＤ１に補正係数Ｋを乗算した値（Ｋ×Ｄ１）を、たとえば、仕掛けをシンボル化した針の図形で水深に応じた位置に表示する。なお、この実施形態では、補正前は補正係数が１にセットされているので補正前の水深データを表示していることになるが、補正を行う前は仕掛けの水深データＤをそのまま表示し、補正を行った後は補正された水深データＫ×Ｄ１を表示するようにしてもよい。
【００４３】
また、魚群探知機１２０から受信した海底の水深データＤ２及び棚位置の水深データＤ３をエコーデータの画像でスケールＳＣの左側の水深に応じた位置に時系列的に表示する。さらに、海底の水深データＤ２の数値Ｄ２ｎを画面左下に表示するとともに、画面の左上に水深データＤ１の数値Ｄ１ｎも表示する。さらに、棚タイマー（棚位置を自動設定するために設定される仕掛けの静止時間）の値も数値Ｄ１ｎの下に表示される。ステップＳ２９では、メニュー画面と同様に魚群探知機１２０からの電波の受信状態７１をアンテナマークと３本線とで画面の左上部に表示する。ステップＳ３０では、仕掛けの軌跡の表示設定がオンになっているか否かを判断する。この設定は、シカケ軌跡がオンになっているか否かにより判断する。シカケ軌跡表示がオンになっている場合にはステップＳ３１に移行する。ステップＳ３１では、図１２に示すように仕掛けの水深データＤ１の時系列的な変化である仕掛けの軌跡をドット表示する。ステップＳ３２では、さそいモードのさそい幅をスケールＳＣの右側にハッチングで示すように表示する。この表示はさそいモードがオフの場合は表示されない。ステップＳ３３では、図１６に示すボトムライン表示処理を行う。ステップＳ３４では、図１７に示す拡大縮小表示処理を行う。ステップＳ３５では、その他の表示を行う。
【００４４】
図１６のボトムライン表示処理は、図４に示す底画像８０の境界となるボトムライン８１を表示する処理である。ボトムライン８１は、魚群探知機１２０の反射波の反応が最も強い底部分を示す水底情報であって、反射波の反応が弱い藻等（たとえば赤色や黄色で表されている）の情報を除いた真の底部分を強調表示するものである。ボトムライン８１は、底位置を示す数値情報をグラフ化したラインであって、たとえば太線表示（幅広表示）にしたり、水底情報をグラフ化したラインの色を他の画像（赤色や黄色）や背景色（黒色や青色）と異なる色、たとえば白色にしたりすることで強調表示している。ここでは、まず、図１６のＳ８１において、ボトムライン８１を表示するモードになっているか否かが判断される。具体的には、図９に示すモード設定画面において、釣り情報表示装置６０のボトムラインの設定項目７７の設定内容７８が「ＯＮ」になっているときには、Ｓ８１でボトムライン８１を表示するモードになっていると判断される。Ｓ８１において、ボトムライン８１を表示するモードになっていると判断されると、Ｓ８２に移行し水底情報、すなわちラインを描画する位置を読み込む。Ｓ８３では、ラインは幅をたとえば太線表示に設定し、Ｓ８４では、ラインの色をたとえば背景色が黒色や青色である場合には白色に設定する。なお、Ｓ８４では、背景色が白色である場合には、ラインの色を黒色に設定する。そして、Ｓ８５において、Ｓ８３で読み込まれた位置に幅広の白色ラインがボトムライン８１として表示される（図４参照）。一方、図１０に示すモード設定画面において、釣り情報表示装置６０のボトムラインの設定項目７７の設定内容７８が「ＯＦＦ」になっているときには、Ｓ８１でボトムライン８１を表示するモードになっていないと判断され、図１１に示す底画像８０のみが表示される。
【００４５】
図１７の拡大縮小表示処理は、図４から図６に示すように、操作キー部６２のカーソルボタン５３の上ボタン５３ａまたは下ボタン５３ｂ（図３参照）を押圧操作する回数に応じて水中に関する釣り情報を水面を基準として表示部５１に拡大・縮小表示する処理である。ここでは、まず、図１７のＳ９１において、上ボタン５３ａが１回押圧操作されたか否かを判断する。上ボタン５３ａが１回押圧操作されると、Ｓ９４に移行し１段階拡大する設定にする。ここで、１段階の拡大とは、水深のスケールＳＣが通常画面（図４参照）が０ｍから１００ｍの範囲であるとすると、たとえば水深のスケールＳＣが０ｍから９０ｍの範囲となるように水深方向に拡大することである。たとえば、上ボタン５３ａが３回押圧操作されると（３段階の拡大）、水深のスケールＳＣが０ｍから７０ｍの範囲に拡大され（図５参照）、上ボタン５３ａが５回押圧操作されると（５段階の拡大）、水深のスケールＳＣが０ｍから５０ｍの範囲に拡大される（図６参照）。ここでは、たとえば１０段階の拡大縮小が可能である。Ｓ９１において、上ボタン５３ａが１回押圧操作されていないと判断されると、Ｓ９２に移行し下ボタン５３ｂが１回押圧操作されたか否かを判断する。下ボタン５３ｂが１回押圧操作されると、Ｓ９５に移行し１段階縮小する設定にする。Ｓ９２において、下ボタン５３ｂが１回押圧操作されていないと判断されると、Ｓ９３に移行し左ボタン５３ｃまたは右ボタン５３ｄが１回押圧操作されたか否かを判断する。左ボタン５３ｃまたは右ボタン５３ｄが１回押圧操作されると、Ｓ９６に移行し今までに拡大または縮小した設定をリセットし図４に示す通常画面を表示する。なお、この釣り情報表示装置６０では、従来と同様の拡大表示と前述の拡大縮小表示とを切り換えて表示させることが可能である。
【００４６】
図１２のステップＳ９において、操作キー部６２のいずれかのボタンが操作されるとステップＳ９からステップＳ１２に移行して図１４に示すキー入力処理を実行する。キー入力処理では、図１４のステップＳ４１で画面切換ボタン５２が操作されたか否かを判断する。ステップＳ４２では、カーソルボタン５３が操作されたか否かを判断する。ステップＳ５３では決定ボタン５４が操作されたか否かを判断する。ステップＳ４では、さそいオンオフボタン５５が操作されたか否かを判断する。ステップＳ４５ではオンオフボタン５６が操作されたか否かを判断する。
【００４７】
画面切換ボタン５２が操作されると、ステップＳ４１からステップＳ５０に移行する。なお、ステップＳ５０には記載していないが、電動リール１００のモータ２２が回転している場合は、この画面切換ボタン５２のキー入力は無効になる。これは巻き上げ中は、画面を切り換えできないようにするためである。ステップＳ５０では、オープニング画面が設定されているか否かを判断する。オープニング画面が設定されている場合はステップＳ５１に移行して表示モードをメニュー画面に設定する。これによりステップＳ８の表示処理でメニュー画面が表示される。オープニング画面が設定されていない場合には、ステップＳ５２に移行してメニュー画面が設定されているか否かを判断する。メニュー画面が設定されている場合にはステップＳ５３に移行して表示モードを魚探画面に設定する。これによりステップＳ８の表示処理で魚探画面が表示される。メニュー画面が設定されていない場合には、表示モードをメニュー画面に設定する。これらの処理が終わるとステップＳ４２に移行する。
【００４８】
カーソルボタン５３が操作されるとステップＳ４２からステップＳ５５に移行する。ステップＳ５５では、操作されたカーソルの方向に応じてメニュー画面において設定項目や設定内容でカーソルをひとつずつ移動させる。
【００４９】
決定ボタン５４が操作されるとステップＳ４３からステップＳ５６に移行する。ステップＳ５６では、魚探画面か否かが判断される。魚探画面であると判断するとステップＳ５７に移行する。ステップＳ５７では、位置補正が設定されている（オンされている）か否かを判断する。位置補正が設定されている場合には、ステップＳ５８に移行して位置補正を行う。ここでは、魚探画面のときに決定ボタン５４を操作すると補正開始信号が出力されて補正処理が行われる。
【００５０】
通常、この操作は、釣人が仕掛けを底まで下ろす底取りをしたときに、図１４に示すように、仕掛けの水深データＤ１が実際の海底データＤ２と大きく変化して表示に矛盾が生じた場合に行われる。図１４に示す例では実際の海底の水深は７３メートルであるのに対して、海流などの影響により仕掛けが回転に到達したときに釣り糸は８５ｍ繰り出されたことを示している。このような状況で釣人が決定ボタン５４を操作すると、ステップＳ５６を経由してステップＳ５７に移行し、このタイミングで受信した実際の海底の水深データＤ２を仕掛けの水深データＤ１で除算して補正係数Ｋを算出する。この補正係数Ｋが表示処理で水深データＤ１に乗算される。たとえば、図１４に示す例では、補正係数が７３／８５になり、仕掛けの水深データＤ１は、その後は次の補正処理が行われるまでこの補正係数Ｋを乗算して表示される。この結果、図形表示された水深データＤ１や数値表示のデータＤ１ｎが補正されて補正水深データになる。なお、電源コード１３が抜かれて電源が遮断されると補正係数は初期設定で１にセットされる。また、電動リール１００側ではこのような補正処理は行われない。これは、電動リール１００でこのような補正を行うと、釣り糸を巻き取る際に船縁停止位置などが補正分だけずれるからである。したがって、この補正はあくまでも釣り情報表示装置６０だけで行われる。
【００５１】
ステップＳ５６で位置補正がオフしていると判断すると、ステップＳ４４に移行する。魚探画面ではないと判断すると、ステップＳ５６からステップＳ５９に移行する。ステップＳ５９ではカーソルで選択された設定項目の内容を決定して記憶部４５にセットする。ステップＳ６０では設定項目が電動リール１００に関するものか否か、つまり電動リール１００に送信する必要があるか否かを判断する。送信する必要がある場合は、決定された設定を送信するような送信要求を出力する。これにより、ステップＳ１３で電動リール１００に設定データが送信される。
【００５２】
さそいオンオフボタン５５が操作されるとステップＳ４からステップＳ６２に移行する。ステップＳ６２では、モータ２２を設定されたさそい幅でオンオフするような送信要求を出力する。
【００５３】
オンオフボタン５６が操作されるとステップＳ４５からステップＳ６３に移行する。ステップＳ６３では、表示部５１がオンしているか否かを判断する。表示部５１がまだオンしていない場合には、ステップＳ６４に移行して表示部５１をオンする。表示部５１がすでにオンしている場合にはステップＳ６５に移行して表示部５１をオフする。
【００５４】
この釣り情報表示制御部６０では、操作キー部６２の所定の操作に応じて水中に関する釣り情報を水面を基準として表示部５１に釣人が所望する拡大率となるように拡大・縮小表示することにより、釣人が所望する拡大率となる表示を簡単に行える。さらに、ここでは、水中に関する釣り情報を画面上部の水面を基準として表示部５１に拡大・縮小表示するようになっているので、底の水深が浅く画面の中程に水底が表示されているときには（図４参照）、画面上部の水面を基準として底の水深を表示部５１に拡大表示させることによって、底の水深を画面の下部に配置させることができる（図５、図６参照）。このため、釣人が所望する魚群の画像（Ｄ３）を画面の中程に確実に表示させることができる（図５、図６参照）。したがって、操作キー部６２の所定の操作に応じて水中に関する釣り情報を水面を基準として表示部５１に拡大・縮小表示することによって、釣人が所望する画像を簡単かつ確実に表示できる。
【００５５】
〔他の実施形態〕
（ａ）  前記実施形態では、釣り情報表示制御部６０に魚群探知機１２０と電動リール１００との両方の情報を表示させていたが、魚群探知機１２０からの情報のみを表示させてもよい。また、釣り情報表示制御部６０、電動リール１００、魚群探知機１２０との接続はそれぞれ無線通信を行うことで接続していたが、いずれかの接続を有線接続にしてもよい。
【００５６】
（ｂ）  前記実施形態では、下ボタン５３ｂまたは上ボタン５３ａの押圧回数に応じて拡大縮小表示を行っていたが、下ボタン５３ｂまたは上ボタン５３ａを押圧時間に応じて滑らかに拡大縮小表示するようにしてもよい。
【００５７】
（ｃ）  前記実施形態では、水深のスケールＳＣが０ｍから１００ｍの範囲を最小として１０段階の拡大縮小が可能であったが、拡大縮小の範囲や段階はこれに限定されるものではない。
【図面の簡単な説明】
【００５８】
【図１】本発明の一実施形態を採用した釣り情報表示システムのブロック図。
【図２】電動リールと釣り情報表示装置との接続例を示す斜視図。
【図３】前記釣り情報表示装置の正面図。
【図４】ボトムラインを表示させたときの表示画面を示す図。
【図５】３段階拡大表示させたときの図４に相当する図。
【図６】５段階拡大表示させたときの図４に相当する図。
【図７】リール名設定画面を表示させたときの表示画面を示す図。
【図８】船名設定画面を表示させたときの表示画面を示す図。
【図９】ボトムライン設定画面（ＯＮ設定）を表示させたときの表示画面を示す図。
【図１０】前記ボトムライン設定画面（ＯＦＦ設定）を表示させたときの表示画面を示す図。
【図１１】前記ボトムラインを表示させていないときの図４に相当する図。
【図１２】情報表示制御部のメインルーチンの制御内容を示すフローチャート。
【図１３】表示処理サブルーチンの制御フローチャート。
【図１４】キー入力サブルーチンの制御フローチャート。
【図１５】バックライト表示サブルーチンの制御フローチャート。
【図１６】ボトムライン表示サブルーチンの制御フローチャート。
【図１７】拡大縮小表示サブルーチンの制御フローチャート。
【図１８】仕掛回収時間表示設定画面（ＯＦＦ設定）を表示させたときの表示画面を示す図。
【図１９】初期設定サブルーチンの制御フローチャート。
【符号の説明】
【００５９】
５１  表示部
５１ａ  液晶ディスプレイ
５１ｂ  バックライト
５２〜５６  ボタン
６０  釣り情報表示装置
６１  情報表示制御部
６２  操作キー部
１００  電動リール
１２０  魚群探知機
【図１】
0005054553.tif 000002
【図２】
0005054553.tif 000003
【図３】
0005054553.tif 000004
【図４】
0005054553.tif 000005
【図５】
0005054553.tif 000006
【図６】
0005054553.tif 000007
【図７】
0005054553.tif 000008
【図８】
0005054553.tif 000009
【図９】
0005054553.tif 000010
【図１０】
0005054553.tif 000011
【図１１】
0005054553.tif 000012
【図１２】
0005054553.tif 000013
【図１３】
0005054553.tif 000014
【図１４】
0005054553.tif 000015
【図１５】
0005054553.tif 000016
【図１６】
0005054553.tif 000017
【図１７】
0005054553.tif 000018
【図１８】
0005054553.tif 000019
【図１９】
0005054553.tif 000020